(57)【特許請求の範囲】
【請求項１】
第一の什器と第二の什器とを備えた什器システムであって、
前記第一の什器は、
幅方向に間隔をあけて床面上に配置され、水平面内で前記幅方向に直交する前後方向に延びる一対のベース部材と、
前記ベース部材上に設けられて上方に向かって延びる第一の支柱と、備え、
前記第二の什器は、
前記第一の支柱と離間して配置されたオプション部材と、
前記オプション部材の幅方向両側にそれぞれ設けられ、前記オプション部材を支持する一対の第二の支柱と、
前記ベース部材に沿って前記床面上に設けられ、前記第二の支柱を支持する支持部材と、を備え、
前記ベース部材と前記支持部材とが、連結手段により連結されている
ことを特徴とする什器システム。
【請求項２】
前記第二の支柱及び前記支持部材は、前記ベース部材に対し、前記オプション部材の幅方向内方に配置されていることを特徴とする請求項１に記載の什器システム。
【請求項３】
前記支持部材は、前記ベース部材よりも前後方向の長さが短いことを特徴とする請求項１又は２に記載の什器システム。
【請求項４】
前記第一の支柱は、前記ベース部材の前後方向一方の側にオフセットして配置され、
前記第二の支柱は、前記支持部材の前後方向他方の側にオフセットして配置されるとともに、前記第一の支柱に対し、前後方向他方の側に離間して配置されていることを特徴とする請求項３に記載の什器システム。
【請求項５】
前記支持部材は、前記支持部材が前後方向に沿って前記第一の支柱側に移動するのを拘束するストッパ部が形成されていることを特徴とする請求項４に記載の什器システム。
【請求項６】
前記連結手段は、前記支持部材に一体に形成され、前記ベース部材上に係止される上部係止部を備えることを特徴とする請求項１から５の何れか一項に記載の什器システム。
【請求項７】
前記上部係止部は、前記ベース部材の上面に沿う上面部と、
前記上面部から前記ベース部材の幅方向少なくとも一方の側面に沿って下方に延びる上側リブと、
を一体に備えることを特徴とする請求項６に記載の什器システム。
【請求項８】
前記連結手段は、前記支持部材に一体に形成されるとともに前記ベース部材の下側に配置され、前記上部係止部との間で前記ベース部材を挟持する下部係止部をさらに備える請求項６又は７に記載の什器システム。
【請求項９】
前記下部係止部は、前記ベース部材の下面に沿う下面部と、
前記下面部から前記ベース部材の幅方向少なくとも一方の側面に沿って上方に延びる下側リブと、
を一体に備えることを特徴とする請求項８に記載の什器システム。
【請求項１０】
幅方向両側に位置する前記支持部材間に、幅方向に延びる連結部材が架設されていることを特徴とする請求項１から９の何れか一項に記載の什器システム。
【請求項１１】
前記第二の支柱が上下方向に伸縮可能とされ、前記オプション部材が昇降可能とされていることを特徴とする請求項１から１０の何れか一項に記載の什器システム。
【発明の詳細な説明】
【技術分野】
【０００１】
本発明は、什器システムに関する。
【背景技術】
【０００２】
工場や配送センター、販売店等で使用される作業台や商品陳列棚等の什器は、幅方向に間隔をあけて床面上に設けられる一対のベース部材と、一対のベース部材のそれぞれから上方に向かって延びるよう設けられた一対の支柱と、を備えている。これら一対の支柱間に、天板や棚板を設けることで、所要の使用目的に応じた什器を構成している。
【０００３】
このような什器に、デスク等の他の什器を組み合わせて用いることがある。
例えば、特許文献１には、収納棚とデスクとを組み合わせて用いる構成が開示されている。この構成において、収納棚は、デスクの後方に配置されている。収納棚の支柱は、デスクの脚の後方に、脚連結部材を介して連結されている。このように、収納棚とデスクとを連結することで、収納棚とデスクとの位置ずれ等を防ぎ、使用性を高めている。
【先行技術文献】
【特許文献】
【０００４】
【特許文献１】特許第４９４６３２４号公報
【発明の概要】
【発明が解決しようとする課題】
【０００５】
しかしながら、工場や配送センター、販売店等においては、什器のレイアウト変更等が行われることがある。このような場合、特許文献１に開示されたような、収納棚とデスクとを、脚連結部材で連結した構成においては、収納棚は、脚連結部材を介してデスクに連結されることで、安定性を確保しており、収納棚の支柱自体では自立不可能である。
そこでなされた本発明の目的は、複数の什器を組み合わせる場合に、それぞれの什器で安定性を確保しつつ、什器同士を確実に連結することのできる什器システムを提供することである。
【課題を解決するための手段】
【０００６】
本発明は、上記課題を解決するため、以下の手段を採用する。
本発明に係る什器システムは、第一の什器と第二の什器とを備えた什器システムであって、前記第一の什器は、幅方向に間隔をあけて床面上に配置され、水平面内で前記幅方向に直交する前後方向に延びる一対のベース部材と、前記ベース部材上に設けられて上方に向かって延びる第一の支柱と、備え、前記第二の什器は、前記第一の支柱と離間して配置されたオプション部材と、前記オプション部材の幅方向両側にそれぞれ設けられ、前記オプション部材を支持する一対の第二の支柱と、前記ベース部材に沿って前記床面上に設けられ、前記第二の支柱を支持する支持部材と、を備え、前記ベース部材と前記支持部材とが、連結手段により連結されている。
【０００７】
このような構成によれば、第一の什器、第二の什器は、それぞれ、床面に沿って設けられるベース部材、支持部材によって、支持安定性が確保される。床面に沿って設けられるベース部材と支持部材とを連結することで、第一の什器と第二の什器とを、確実に連結することができる。
【０００８】
また、本発明に係る什器システムは、上記什器システムにおいて、前記第二の支柱及び前記支持部材は、前記ベース部材に対し、前記オプション部材の幅方向内方に配置されているようにしてもよい。
このように構成することで、第一の什器を構成する一対のベース部材の幅方向外方に、第二の什器の支持部材及び第二の支柱が突出して配置されるのを回避することができる。したがって、第一の什器に第二の什器を組み合わせて設置した状態においても、什器システムが幅方向に大型化するのを抑えることができる。
【０００９】
また、本発明に係る什器システムは、上記什器システムにおいて、前記支持部材は、前記ベース部材よりも前後方向の長さが短いようにしてもよい。
このように構成することで、オプション部材の下方の足元の空間を広く確保することが可能となる。ここで、支持部材は、連結手段を介してベース部材に連結されることで、前後方向の長さがベース部材よりも短くても、第二の什器の支持安定性を十分に確保できる。
【００１０】
また、本発明に係る什器システムは、上記什器システムにおいて、前記第一の支柱は、前記ベース部材の前後方向一方の側にオフセットして配置され、前記第二の支柱は、前記支持部材の前後方向他方の側にオフセットして配置されるとともに、前記第一の支柱に対し、前後方向他方の側に離間して配置されているようにしてもよい。
このように構成することで、第一の支柱、第二の支柱が、ベース部材、支持部材に対し、前後方向にオフセット配置されていても、ベース部材と支持部材とを連結することで、第一の支柱、第二の支柱を、それぞれ強固に支持することができる。
【００１１】
また、本発明に係る什器システムは、上記什器システムにおいて、前記支持部材は、前記支持部材が前後方向に沿って前記第一の支柱側に移動するのを拘束するストッパ部が形成されているようにしてもよい。
このように構成することで、支持部材に支持された第二の支柱及びオプション部材が第一の支柱に干渉するのを抑えることができる。
【００１２】
また、本発明に係る什器システムは、上記什器システムにおいて、前記連結手段は、前記支持部材に一体に形成され、前記ベース部材上に係止される上部係止部を備えるようにしてもよい。
このように構成することで、上部係止部をベース部材上に係止すれば、支持部材をベース部材に連結することができるので、支持部材のベース部材への着脱を容易に行うことができる。
【００１３】
さらに、本発明に係る什器システムは、上記什器システムにおいて、前記上部係止部は、前記ベース部材の上面に沿う上面部と、前記上面部から前記ベース部材の幅方向少なくとも一方の側面に沿って下方に延びる上側リブと、を一体に備えるようにしてもよい。
このような構成によれば、上面部をベース部材の上面に沿わせることで、第二の支柱の荷重をベース部材に伝達することができる。また、上側リブにより上部係止部が補強され、第二の支柱を、より強固に支持することができる。
【００１４】
また、本発明に係る什器システムは、上記什器システムにおいて、前記連結手段は、前記支持部材に一体に形成されるとともに前記ベース部材の下側に配置され、前記上部係止部との間で前記ベース部材を挟持する下部係止部をさらに備えるようにしてもよい。
このように、上部係止部と下部係止部とでベース部材を上下から挟持することで、第二の什器を、第一の什器に対して強固に連結することができる。
【００１５】
また、本発明に係る什器システムは、上記什器システムにおいて、前記下部係止部は、前記ベース部材の下面に沿う下面部と、前記下面部から前記ベース部材の幅方向少なくとも一方の側面に沿って上方に延びる下側リブと、を一体に備えるようにしてもよい。
このような構成によれば、下面部をベース部材の下面に沿わせることで、上部係止部と下部係止部とでベース部材を確実に挟持することができる。また、下側リブにより、下部係止部が補強され、第二の支柱を、より強固に支持することができる。
【００１６】
また、本発明に係る什器システムは、上記什器システムにおいて、幅方向両側に位置する前記支持部材間に、幅方向に延びる連結部材が架設されているようにしてもよい。
このように構成することで、連結部材および支持部材を介し、幅方向両側に位置する一対の第二の支柱が強固に連結される。
【００１７】
また、本発明に係る什器システムは、上記什器システムにおいて、前記第二の支柱が上下方向に伸縮可能とされ、前記オプション部材が昇降可能とされているようにしてもよい。
このように構成することで、什器に、昇降可能な天板等のオプション部材を備えることができる。
【発明の効果】
【００１８】
本発明に係る什器システムによれば、複数の什器を組み合わせる場合に、それぞれの什器で安定性を確保しつつ、什器同士を確実に連結することが可能となる。
【図面の簡単な説明】
【００１９】
【図１】本発明の一実施形態に係る什器システムの全体構成を示す図であり、什器システムを斜め前方から見た斜視図である。
【図２】上記什器システムを斜め後方から見た斜視図である。
【図３】上記什器システムを構成する収納棚と作業台との連結部分の構成を示す斜視展開図である。
【図４】上記収納棚と作業台とを連結する連結ベース部材を示す斜視図である。
【図５】上記連結ベース部材を構成する下部ブラケットをベース脚にセットした状態を、前方かつ斜め上方から見た図である。
【図６】上記連結ベース部材を構成する上部ブラケットを、下部ブラケットの上方にセットした状態を、前方かつ斜め上方から見た図である。
【図７】上記ベース脚に係止された連結ベース部材を示す斜視図である。
【図８】上記連結ベース部材の前端部を示す斜視図である。
【発明を実施するための形態】
【００２０】
以下、添付図面を参照して、本発明による什器システムを実施するための形態を説明する。しかし、本発明はこれらの実施形態のみに限定されるものではない。
【００２１】
図１は、本発明の一実施形態に係る什器システムの全体構成を示す図であり、什器システムを斜め前方から見た斜視図である。図２は、上記什器システムを斜め後方から見た斜視図である。
図１に示すように、什器システム１は、収納棚（第一の什器）１０と、作業台（第二の什器）２０と、を備える。
【００２２】
収納棚１０は、床面Ｆ上に幅方向に間隔を隔てて互いに平行に設置される二本一対のベース脚（ベース部材）１１、１１と、各ベース脚１１上に設けられて上方に延びる二本一対の支柱（第一の支柱）１２、１２と、互いに隣接する二本の支柱１２、１２の下部どうしを互いに連結する連結フレーム１３と、互いに隣接する二本の支柱１２、１２の上端部どうしを互いに連結する上部連結材１４と、を備えている。
【００２３】
ベース脚１１は、床面Ｆに沿って幅方向に直交する前後方向に延びている。ベース脚１１は、その下面に床面Ｆに接地するアジャスタ１５を備えている。ベース脚１１は、床面Ｆに直交する上下方向の寸法が、二本の支柱１２、１２同士を結ぶ幅方向の寸法よりも大きい、上下方向に長い断面矩形の筒状をなしている。
【００２４】
支柱１２は、ベース脚１１の前後方向の中央部よりも後方にオフセットした位置に設けられている。支柱１２は、断面矩形の中空筒状で、その前後面１２ｆ、１２ｒに、棚板１８等を係止するため、長手方向に所定の間隔をあけて略矩形状の係止孔１６が複数貫通形成されている。ここで、係止孔１６は、支柱の前後面１２ｆ、１２ｒの幅方向に２列に形成されている。
【００２５】
連結フレーム１３は、上下に間隔をあけて設けられ、それぞれ互いに隣接する二本の支柱１２、１２を結ぶ方向に延びる断面視矩形筒状の横杆材１３ａ，１３ｂと、二本の支柱１２、１２のそれぞれに沿って上下方向に延び、横杆材１３ａ，１３ｂの両端部を連結する断面視矩形筒状の縦杆材１３ｃ、１３ｃと、を備えている。連結フレーム１３は、横杆材１３ａ，１３ｂと、縦杆材１３ｃ，１３ｃとにより、前後方向から見たときに矩形状をなしている。
【００２６】
上部連結材１４は、断面矩形筒状で、互いに隣接する二本の支柱１２、１２を結ぶ方向に延び、その両端部が係止金具１４ｂ、１４ｂを介して二本の支柱１２，１２のそれぞれの側面に連結されている。
これら連結フレーム１３および上部連結材１４により、二本の支柱１２，１２が連結されている。
【００２７】
支柱１２，１２の前面１２ｆ，１２ｆには、棚板１８が係止されている。棚板１８は、その後端部に設けられた係止フック（図示無し）を支柱１２，１２の前面１２ｆ，１２ｆに形成された係止孔１６，１６に係合させることで、支柱１２，１２に係止されている。
【００２８】
作業台２０は、上部構造体２２と、床面Ｆ上に設置されて上部構造体２２を支持する下部構造体２５と、を備える。
【００２９】
上部構造体２２は、平面視長方形の板状で、上面に作業面２１ｔを有した天板（オプション部材）２１と、天板２１の幅方向両側で天板２１の下面に固定された上部支持体２３と、を備えている。
【００３０】
下部構造体２５は、天板２１の幅方向に間隔をあけて設けられ、それぞれ床面Ｆに沿うよう前後方向に延びる一対の連結ベース部材（支持部材）２６，２６と、これら一対の連結ベース部材２６，２６上に設けられた昇降ユニット（第二の支柱）２７，２７と、を備えている。
【００３１】
連結ベース部材２６は、作業台２０の下部構造体２５を、収納棚１０のベース脚１１に連結するとともに、作業台２０の荷重の少なくとも一部をベース脚１１に支持させる。
図３は、収納棚１０と作業台２０との連結部分の構成を示す斜視展開図である。図４は、連結ベース部材２６を示す斜視図である。
この図３、図４に示すように、連結ベース部材２６は、上部ブラケット６０と、下部ブラケット７０と、を備えている。
【００３２】
上部ブラケット６０は、ブラケット本体６１と、インナーフレーム６２と、を一体に備えている。
ブラケット本体６１は、昇降ユニット２７を支持するユニット支持部６３と、収納棚１０のベース脚１１に係止されるフック部（連結手段、上部係止部）６４と、を一体に備えている。
【００３３】
ユニット支持部６３は、床面Ｆ（図１、図２参照）と平行に配置され、昇降ユニット２７の下端部を支持する支持プレート部６３ａと、支持プレート部６３ａの幅方向一方の端部から下方に垂下する側壁部６３ｂと、を一体に備えている。
図４に示すように、支持プレート部６３ａには、昇降ユニット２７の下端部を固定するため、ボルト挿通孔６９が複数個所に形成されている。
【００３４】
図３、図４に示すように、フック部６４は、ベース脚１１の上面に沿う上面部６４ａと、上面部６４ａの幅方向一方の端部から下方に垂下する側壁部６４ｂと、上面部６４ａの幅方向他方の端部から下方に垂下する側壁部（上側リブ）６４ｃと、を一体に備えている。側壁部６４ｂは、その下端部がユニット支持部６３の支持プレート部６３ａに一体に連結されている。このフック部６４は、ユニット支持部６３の前後方向のほぼ全長にわたって連続して形成されている。
【００３５】
図４に示すように、インナーフレーム６２は、ユニット支持部６３の支持プレート部６３ａの下面に沿う上部プレート部（図示無し）と、上部プレート部（図示無し）の幅方向両側からそれぞれ鉛直下方に垂下する側部プレート部６２ｂ，６２ｂと、側部プレート部６２ｂ，６２ｂの下端部から幅方向内方に向かって延びる底部プレート部６２ｃ，６２ｃを一体に備えている。このインナーフレーム６２は、ブラケット本体６１の支持プレート部６３ａと、前後方向にほぼ同じ長さを有している。インナーフレーム６２は、上部プレート部（図示無し）をユニット支持部６３の支持プレート部６３ａの下面に沿わせた状態で、溶接等によってブラケット本体６１に一体に接合されている。
【００３６】
図３、図４に示すように、上部ブラケット６０のユニット支持部６３の支持プレート部６３ａ、及びインナーフレーム６２の上部プレート部（図示無し）には、下部ブラケット７０と連結するため、その後部に前後方向に間隔をあけて例えば二つのボルト挿通孔６５、６５が形成されている。
また、インナーフレーム６２の前端部には、鉛直下方に垂下する前部プレート部６２ｆが一体に形成されている。この前部プレート部６２ｆには、後述する下部ブラケット７０の前部プレート部７１ｆと連結するため、ボルト挿通孔６６が貫通形成されている。
【００３７】
図３に示すように、下部ブラケット７０は、ベースプレート７１と、収納棚１０のベース脚１１の下側に係止されるフック部（連結手段、下部係止部）７２と、を一体に備えている。
ベースプレート７１は、床面Ｆに平行に配置され、上部ブラケット６０と前後方向にほぼ同じ長さを有している。ベースプレート７１は、その上面に、上部ブラケット６０のインナーフレーム６２の底部プレート部６２ｃ，６２ｃが載置される。
【００３８】
図５は、下部ブラケット７０をベース脚１１にセットした状態を、前方かつ斜め上方から見た図である。
図３、図５に示すように、ベースプレート７１の後端部には、鉛直上方に向かって延出し、連結フレーム１３に前方から突き当たる後部プレート部（ストッパ部）７１ｒが一体に形成されている。この後部プレート部７１ｒが連結フレーム１３の縦杆材１３ｃに前方から突き当たることで、連結ベース部材２６の支柱１２側（後方）への移動が拘束される。
【００３９】
また、ベースプレート７１には、その後部に前後方向に間隔をあけて例えば二つの雌ネジ孔７５、７５が形成されている。これら雌ネジ孔７５，７５は、ベースプレート７１上に上部ブラケット６０を載置した状態で、ボルト挿通孔６５，６５の鉛直下方となる位置に形成されている。
【００４０】
また、ベースプレート７１の前端部には、鉛直上方に向かって延出する前部プレート部７１ｆが一体に形成されている。図４に示すように、前部プレート部７１ｆは、ベースプレート７１上に上部ブラケット６０を載置した状態で、インナーフレーム６２の前部プレート部６２ｆの後方に沿って位置する。前部プレート部７１ｆには、雌ネジ孔７６が形成されている。
【００４１】
ベースプレート７１には、その前部と後部に、床面Ｆに接地可能なアジャスタ７８，７８が設けられている。アジャスタ７８，７８は、ベースプレート７１に形成された雌ネジ孔７１ｎにねじ込まれ、そのねじ込み量を調整することで、ベースプレート７１から下方へ突出寸法を調整可能となっている。
【００４２】
図３、図４に示すように、フック部７２は、収納棚１０のベース脚１１の下側に沿う下部支持プレート（下面部）７２ａと、下部支持プレート７２ａの幅方向両側からそれぞれ鉛直上方に延びる側部プレート部（下側リブ）７２ｂ，７２ｃと、を一体に備える。幅方向一方の側に設けられた側部プレート部７２ｂは、その上端部がベースプレート７１に一体に連続している。
このフック部７２は、ベースプレート７１の前後方向のほぼ全長にわたって連続して形成されている。
【００４３】
図５に示すように、下部ブラケット７０は、フック部７２の下部支持プレート７２ａを、ベース脚１１の下側に沿わせた状態で、側部プレート部７２ｂ，７２ｃがベース脚１１の幅方向両側面に沿う。この状態で、ベースプレート７１は、床面Ｆから上方に離間して位置する。ベースプレート７１に設けられたアジャスタ７８，７８は、床面Ｆに接地させる。
【００４４】
図６は、上部ブラケット６０を、下部ブラケット７０の上方にセットした状態を、前方かつ斜め上方から見た図である。
図６に示すように、上部ブラケット６０は、ベース脚１１の下側にセットした下部ブラケット７０に対し、上方から対向させてセットする。上部ブラケット６０は、ベースプレート７１上に、ユニット支持部６３およびインナーフレーム６２を載置する。図３に示すように、この状態で、ユニット支持部６３およびインナーフレーム６２の後方に形成されたボルト挿通孔６５、６５のそれぞれに、ボルト７７を挿通させ、ベースプレート７１に形成された雌ネジ孔７５，７５にねじ込む。これにより、上部ブラケット６０と下部ブラケット７０とが、その後部で一体に連結される。
また、インナーフレーム６２の前部プレート部６２ｆに形成されたボルト挿通孔６６にボルト７９を挿通させ、ベースプレート７１の前部プレート部７１ｆに形成された雌ネジ孔７６にねじ込む。これにより、上部ブラケット６０と下部ブラケット７０とが、その前端部で一体に連結される。この状態で、フック部６４は、上面部６４ａをベース脚１１の上面に沿わせた状態で、側壁部６４ｂ，６４ｃがベース脚１１の幅方向両側面に沿う。
【００４５】
このようにして上下に組み合わせて連結された上部ブラケット６０及び下部ブラケット７０は、正面視すると扁平矩形状をなしている。また、上部ブラケット６０のフック部６４と、下部ブラケット７０のフック部７２とで、ベース脚１１を上下から挟持している。
ここで、上部ブラケット６０と下部ブラケット７０とは、前後方向にほぼ同じ長さを有し、かつ、ベース脚１１の前後方向の長さよりも短く形成されている。これにより、これら上部ブラケット６０及び下部ブラケット７０とからなる連結ベース部材２６は、後部プレート部７１ｒを連結フレーム１３に突き当てた状態で、その前端部２６ｆが、ベース脚１１の前端部１１ｆよりも後方に位置している。
図７は、ベース脚に係止された連結ベース部材を示す斜視図である。
この図７に示すように、上部ブラケット６０のフック部６４、及び下部ブラケット７０のフック部７２は、支柱１２の前方位置から前方に向かって延び、昇降ユニット２７よりも前方、かつベース脚１１の前端部１１ｆよりも後方位置まで連続している。
【００４６】
図８は、連結ベース部材２６の前端部２６ｆを示す斜視図である。
この図８に示すように、連結ベース部材２６の前端部には、前方に向いて開口した開口部を塞ぐよう、キャップ８０を装着することができる。
【００４７】
図１に示すように、昇降ユニット２７は、各連結ベース部材２６の前部の上面に、ボルト挿通孔６９（図４参照）にボルト（図示無し）を挿通させることで、固定されている。昇降ユニット２７は、鉛直上方に向かって延びるよう設けられている。昇降ユニット２７は、平断面寸法が互いに異なる複数の筒状体２７ａ，２７ｂ，２７ｃを備えている。昇降ユニット２７は、最も平断面寸法が大きな筒状体２７ａの内側に筒状体２７ｂが挿入され、筒状体２７ｂの内側に筒状体２７ｃが挿入されている。筒状体２７ｃの上端部には、天板２１の下面に設けられた上部支持体２３が連結されている。
昇降ユニット２７は、筒状体２７ａに対し、その内側に挿入された筒状体２７ｂ，２７ｃが上下方向に出没することによって上下方向に伸縮する。天板２１の下面に設けられた操作スイッチ２４を操作すると、天板２１の下面に設けられた図示しないコントロールユニットの制御によって、作業台２０の幅方向両側に設けられた一対の昇降ユニット２７，２７が同期して伸縮動作し、天板２１を昇降させる。
【００４８】
天板２１の後端部には、天板２１上で用いる機器等に接続される配線等を収容するケーブル保護チェーン２９が設けられている。ケーブル保護チェーン２９は、その一端２９ａが天板２１の下面に固定され、他端２９ｂが連結フレーム１３に固定されている。
【００４９】
また、幅方向両側に位置する連結ベース部材２６，２６間には、幅方向に連続する板状の連結板（連結部材）９０が設けられている。連結板９０は、昇降ユニット２７よりも後方に配置され、上部ブラケット６０のユニット支持部６３に、ボルト７７により共締めされている。この連結板９０は、連結ベース部材２６，２６のフック部６４，６４の側壁部６４ｂ，６４ｂと、連結フレーム１３の横杆材１３ｂとによって、幅方向両側と後方の三方を囲まれている。これにより、連結板９０上に荷物等の物品を載置したときに、物品が幅方向両側と後方の三方に落ちにくくなる。
また、連結板９０によって幅方向両側の連結ベース部材２６，２６及び昇降ユニット２７，２７が一体に連結されて所定幅に維持されることで、作業台２０の強度が向上する。
【００５０】
上述したような什器システム１は、収納棚１０と作業台２０とを備える。収納棚１０は、幅方向に間隔をあけて床面Ｆ上に配置され、水平面内で幅方向に直交する前後方向に延びる一対のベース脚１１と、ベース脚１１上に設けられて上方に向かって延びる支柱１２と、備える。作業台２０は、支柱１２と離間して配置された天板２１と、天板２１の幅方向両側にそれぞれ設けられ、天板２１を支持する一対の昇降ユニット２７と、ベース脚１１に沿って設けられ、昇降ユニット２７を支持する連結ベース部材２６と、を備える。そして、ベース脚１１と連結ベース部材２６とが、フック部６４，７２により連結されている。
このような構成によれば、収納棚１０、作業台２０は、それぞれ、床面Ｆに沿って設けられるベース脚１１、連結ベース部材２６によって、支持安定性が確保される。床面Ｆに沿って設けられるベース脚１１と連結ベース部材２６とを連結することで、収納棚１０と作業台２０とを、確実に連結することができる。
【００５１】
また、昇降ユニット２７及び連結ベース部材２６は、ベース脚１１に対し、天板２１の幅方向内方に配置されている。
このように構成することで、収納棚１０を構成する一対のベース脚１１の幅方向外方に、作業台２０の連結ベース部材２６及び昇降ユニット２７が突出して配置されるのを回避することができる。したがって、収納棚１０に作業台２０を組み合わせて設置した状態においても、什器システム１が幅方向に大型化するのを抑えることができる。
【００５２】
また、連結ベース部材２６は、ベース脚１１よりも前後方向の長さが短い。このように構成することで、天板２１の下方の足元の空間を広く確保することが可能となる。また、連結ベース部材２６は、フック部６４，７２を介してベース脚１１に連結されることで、前後方向の長さがベース脚１１よりも短くても、作業台２０の支持安定性を十分に確保できる。
【００５３】
また、支柱１２は、ベース脚１１の後端部側にオフセットして配置されている。昇降ユニット２７は、連結ベース部材２６の前端部側にオフセットして配置されるとともに、支柱１２に対し、前後方向で離間して配置されている。
このように構成することで、支柱１２、昇降ユニット２７が、ベース脚１１、連結ベース部材２６に対し前後方向にオフセットして配置されていても、ベース脚１１と連結ベース部材２６とを連結することで、支柱１２、昇降ユニット２７を、それぞれ強固に支持することができる。
【００５４】
また、連結ベース部材２６は、連結ベース部材２６が前後方向に沿って支柱１２側に移動するのを拘束する後部プレート部７１ｒが形成されている。このように構成することで、連結ベース部材２６に支持された昇降ユニット２７及び天板２１が支柱１２に干渉するのを抑えることができる。
【００５５】
また、連結手段として、連結ベース部材２６に一体に形成され、ベース脚１１上に係止されるフック部６４を備える。このように構成することで、フック部６４をベース脚１１上に係止すれば、連結ベース部材２６をベース脚１１に連結することができるので、連結ベース部材２６のベース脚１１への着脱を容易に行うことができる。
【００５６】
さらに、フック部６４は、ベース脚１１の上面に沿う上面部６４ａと、上面部６４ａからベース脚１１の幅方向少なくとも一方の側面に沿って下方に延びる側壁部６４ｃと、を一体に備える。このような構成によれば、上面部６４ａをベース脚１１の上面に沿わせることで、昇降ユニット２７の荷重をベース脚１１に伝達することができる。また、側壁部６４ｃによりフック部６４が補強され、昇降ユニット２７を、より強固に支持することができる。
【００５７】
また、連結手段として、連結ベース部材２６に一体に形成され、ベース脚１１の下側に配置され、フック部６４との間でベース脚１１を挟持するフック部７２をさらに備える。このように、フック部６４とフック部７２とでベース脚１１を上下から挟持することで、作業台２０を、収納棚１０に対して強固に連結することができる。
【００５８】
また、フック部７２は、ベース脚１１の下面に沿う下部支持プレート７２ａと、下部支持プレート７２ａからベース脚１１の幅方向少なくとも一方の側面に沿って上方に延びる側部プレート部７２ｃと、を一体に備える。このような構成によれば、下部支持プレート７２ａをベース脚１１の下面に沿わせることで、フック部６４とフック部７２とでベース脚１１を確実に挟持することができる。また、側部プレート部７２ｃにより、フック部７２が補強され、昇降ユニット２７を、より強固に支持することができる。
【００５９】
また、幅方向両側に位置する連結ベース部材２６間に、幅方向に延びる連結板９０が架設されている。このように構成することで、連結板９０および連結ベース部材２６を介し、幅方向両側に位置する一対の昇降ユニット２７が強固に連結される。
【００６０】
また、昇降ユニット２７が上下方向に伸縮可能とされ、天板２１が昇降可能とされている。このように構成することで、什器に、昇降可能な天板等の天板２１を備えることができる。
【００６１】
（その他の実施形態）
なお、本発明の什器は、図面を参照して説明した上述の各実施形態に限定されるものではなく、その技術的範囲において様々な変形例が考えられる。
例えば、什器システム１は、収納棚１０と作業台２０とを連結ベース部材２６によって組み合わせる構成としたが、これに限らない。第一の什器は、収納棚１０以外にも、ベース脚１１と支柱１２とを備えた什器であれば、例えば、デスク、カウンター、テーブル等、各種の什器であってもよい。さらに、収納棚１０に組み合わせる第二の什器は、作業台２０以外にも、他の様々なものであってもよい。
【００６２】
また、連結ベース部材２６を初めとする什器システム１の各部は、所用の機能を果たすことができるのであれば、その具体的な形状や構造は、上記した以外のものとしてもよい。
これ以外にも、本発明の主旨を逸脱しない限り、上記実施の形態で挙げた構成を取捨選択したり、他の構成に適宜変更したりすることが可能である。
【符号の説明】
【００６３】
１  什器システム
１０  収納棚（第一の什器）
１１  ベース脚（ベース部材）
１２  支柱（第一の支柱）
２０  作業台（第二の什器）
２１  天板（オプション部材）
２６  連結ベース部材（支持部材）
２７  昇降ユニット（第二の支柱）
６４  フック部（連結手段、上部係止部）
７１ｒ  後部プレート部（ストッパ部）
７２  フック部（連結手段、下部係止部）
７２ａ  下部支持プレート（下面部）
７２ｂ，７２ｃ  側部プレート部（下側リブ）
９０  連結板（連結部材）
Ｆ  床面
【図１】
0006623454.tif 000002
【図２】
0006623454.tif 000003
【図３】
0006623454.tif 000004
【図４】
0006623454.tif 000005
【図５】
0006623454.tif 000006
【図６】
0006623454.tif 000007
【図７】
0006623454.tif 000008
【図８】
0006623454.tif 000009